(57)【特許請求の範囲】
【請求項１】
輸液や医療機器を装備できる車輪付きスタンドを車椅子に取付固定するための連結装置であって、
本体部と、本体部の後方に連結された連結腕部と、この連結腕部の後方に連結された前記車輪付きスタンドの支柱部を固定するスタンド固定部とから成り、
前記本体部の前方部で前記車椅子の背面側の一フレームと連結固定され、前記連結腕部は前後方向に伸縮する伸縮腕部からなり、及び／又は、その中間部で水平方向に屈曲する屈曲腕部からなり、この連結腕部の後方部に連結された前記スタンド固定部が点滴スタンドの支柱部と連結し固定でき、
前記本体部が車椅子の背面側の縦方向一フレームと連結固定され、
この本体部は側面視略矩形形状の枠体からなり、その前方縦枠に少なくとも上下一対の固定手段を設け、これら固定手段により前記縦方向一フレームに固定され、
前記伸縮腕部が側面視略菱形のリンク機構を有する枠体から構成された前後に伸縮自在のものからなり、
この伸縮腕部又は前記屈曲腕部の前端を前記本体部の後方縦枠に連結し、
この伸縮腕部又は前記屈曲腕部の後端に上下に延長する枠体からなるスタンド固定部を連結し、このスタンド固定部に少なくとも上下一対の固定部を設け、
前記本体部の前端に設けた上下一対の固定手段はそれぞれ螺子棒によって前記本体部と連結され、これにより螺子棒の締着位置を変更することにより前記本体部の縦枠を略鉛直状態に固定できることを特徴とする車椅子用の車輪付きスタンドの連結装置。
【請求項２】
前記伸縮腕部の後端に連結する前記スタンド固定部が、その連結部で回動可能に設けられ固定されていることを特徴とする請求項１に記載の車椅子用の車輪付きスタンドの連結装置。
【請求項３】
前記本体部は前記車椅子の背面側の縦方向一フレームに固定位置変更可能に取付固定できることを特徴とする請求項１又は２に記載の車椅子用の車輪付きスタンドの連結装置。
【請求項４】
前記本体部が、上下に延長する１本の枠体又は棒体からなることを特徴とする請求項１乃至３の何れか１項に記載の車椅子用の車輪付きスタンドの連結装置。
【発明の詳細な説明】
【技術分野】
【０００１】
本発明は、輸液を吊下げまたシリンジポンプを装備できる点滴スタンドや、酸素ボンベスタンド等の各種の輸液や医療機器を装備することのできるキャスター（車輪）付きスタンド（支柱）を車椅子に取り付け固定するための連結装置に関するものである。
【背景技術】
【０００２】
従来のこの種の車輪付きスタンドの連結装置としては、下記特許文献に記載のものを挙げることができる。
下記特許文献１に記載の車椅子用酸素ボンベスタンドは、患者が酸素吸入を受けながら車椅子で移動するときに、酸素ボンベを車椅子に装着するための器具である。従来、ボンベカゴ本体を車椅子に直接取り付ける方法が一般的であったが、ボンベカゴが準備されている数少ない車椅子に不具合が生じたとき、移動に支障を来たし、不便であった。またボンベの重量がすべて車椅子本体にかかるので、取り付けた位置と角度によっては、患者が乗っていない状態のとき、うしろに反転する危険性があるので、そうした問題を解消し、安全で着脱が簡単な車椅子用酸素ボンベスタンドを提供するものである。
【０００３】
その構成は、酸素ボンベカゴの底面に自在キャスターを取り付けて、ボンベの重量が車椅子にかからないようにし、ボンベカゴとそれを支える支柱の連結箇所に、段差、スロープに対応するための上下に動くスライド部分を設け、車椅子の大きさに応じて固定金具の高さを変えることができ、簡単に取り外しのできる構造としたものである。
【０００４】
下記特許文献２に記載の車輪付きスタンド用牽引装置は、例えば車椅子で前記スタンドを牽引する場合に、当該車輪付きスタンドの倒れを防止するためのものである。
その構成は、車椅子に牽引側固定部材を固定し、前記スタンドのポールに被牽引側固定部材を固定し、両部材を連結部材（接続金具）を介して連結する。
連結部材の両部材との連結部において、車椅子の車軸回りの１自由度で回動可能でありかつそれぞれ所定の回動範囲に規制されている。
旋回時に連結部材が旋回方向に折れ曲がることがなく、車輪付きスタンドが旋回方向に傾倒することを防止することができると共に、床面の凹凸に対しては連結部材の両端部の回動により、車椅子に対して車輪付きスタンドは上下動自在となるため、車輪付きスタンドを何等問題なく牽引することができることとなる。
【０００５】
下記特許文献３に記載の移動型点滴スタンドは、安全で歩きやすく、かつ車椅子患者に対しても安全確実、敏速、柔軟に点滴スタンドと車椅子とが連結できる移動型点滴スタンドを提供するものである。
その構成は、移動型点滴スタンドの基部ベースを歩きやすくするために、平面視略手前側に開いた形状をなし、底面部に複数の移動可能なキャスターを設け、車椅子と連結できるために、移動型点滴スタンドの固定支柱下部又基部ベース部に高さ調節可能にジョイント金具を設け、車椅子のフットレストに柔軟に遊動係合できるようにしたものである。
【先行技術文献】
【特許文献】
【０００６】
【特許文献１】特開２００６−３４６４１１号公報
【特許文献２】特開２００９−１４２４０７号公報
【特許文献３】再公表２０１２−７０２６０号公報
【発明の概要】
【発明が解決しようとする課題】
【０００７】
本発明においては、各種医療機器が装備された点滴スタンド等の車輪付きスタンドを車椅子使用者が、それを片手で把持し、他方の手で車椅子の車輪を回転させるという極めて困難な作業を無くすことがその第一の目的である。
【０００８】
即ち、単なる点滴スタンドの場合には、車椅子に乗りながら容易に片手でその点滴スタンドを転がすこともできるが、医療機器には相当に重量を有するものがあり、そのような重量のあるスタンドの場合には、このスタンドを把持して車椅子を転がし、或いはエレベーター等に乗り込むという作業は極めて大変なものとなるからである。
【０００９】
そこで、本発明においては、そのように重量のある車輪付きスタンドを片手で把持する必要をなくし、車椅子の例えば背面側の縦方向の一フレームに連結装置を装備させ、この連結装置に前記スタンドを連結固定できるような連結装置を提供することをその第一の課題としている。
【００１０】
他方、この連結装置は、車椅子に装着したままとすることができ、車輪付きスタンドの使用が必要な時に、簡易にそのスタンドを連結することができるようにすること、更には、この連結装置の不使用時にはこの連結装置が邪魔にならないようなものとすることもその課題となる。
【００１１】
その他、車輪付きスタンドの重量が重いものであっても、そのスタンドを連結した後にそのスタンドの重量が車椅子に直接負荷されないこと、或いは連結された当該スタンドが倒れてしまわないこともその課題となる。
【課題を解決するための手段】
【００１２】
上記課題を解決するために、本発明の第１のものは、輸液や医療機器を装備できる車輪付きスタンドを車椅子に取付固定するための連結装置であって、本体部と、本体部の後方に連結された連結腕部と、この連結腕部の後方に連結された前記車輪付きスタンドの支柱部を固定するスタンド固定部とから成り、前記本体部の前方部で前記車椅子の背面側の一フレームと連結固定され、前記連結腕部は前後方向に伸縮する伸縮腕部からなり、及び／又は、その中間部で水平方向に屈曲する屈曲腕部からなり、この連結腕部の後方部に連結された前記スタンド固定部が点滴スタンドの支柱部と連結し固定でき、前記本体部が車椅子の背面側の縦方向一フレームと連結固定され、この本体部は側面視略矩形形状の枠体からなり、その前方縦枠に少なくとも上下一対の固定手段を設け、これら固定手段により前記縦方向一フレームに固定され、前記伸縮腕部が側面視略菱形のリンク機構を有する枠体から構成された前後に伸縮自在のものからなり、この伸縮腕部又は前記屈曲腕部の前端を前記本体部の後方縦枠に連結し、この伸縮腕部又は前記屈曲腕部の後端に上下に延長する枠体からなるスタンド固定部を連結し、このスタンド固定部に少なくとも上下一対の固定部を設け、前記本体部の前端に設けた上下一対の固定手段はそれぞれ螺子棒によって前記本体部と連結され、これにより螺子棒の締着位置を変更することにより前記本体部の縦枠を略鉛直状態に固定できることを特徴とする車椅子用の車輪付きスタンドの連結装置である。尚、上記発明において、前方及び後方というのは、車椅子に患者が腰かけた時に顔が向いている方向を前方、その反対方向が後方を意味している。
【００１３】
（削除）
【００１４】
（削除）
【００１５】
（削除）
【００１６】
（削除）
【００１７】
（削除）
【００１８】
本発明の第２のものは、上記第１の発明において、前記伸縮腕部の後端に連結する前記スタンド固定部が、その連結部で回動可能に設けられ固定されていることを特徴とする車椅子用の車輪付きスタンドの連結装置である。
【００１９】
本発明の第３のものは、上記第１又は第２の発明において、前記本体部は前記車椅子の背面側の縦方向一フレームに固定位置変更可能に取付固定できることを特徴とする車椅子用の車輪付きスタンドの連結装置である。
【００２０】
本発明の第４のものは、上記第１乃至第３の発明の何れかのものにおいて、前記本体部が、上下に延長する１本の枠体又は棒体からなることを特徴とする車椅子用の車輪付きスタンドの連結装置
【発明の効果】
【００２１】
本発明の第１のものにおいては、まずその連結装置は、常に車椅子に装着したままにしておくことができ、必要な時に各種の車輪付きスタンドを連結し固定することができる。
そして、使用しないとき、即ち車輪付きスタンドを連結しないときには、本体部の後方に連結された連結腕部を前方に収縮させ或いは水平方向に屈曲させて、小さくした状態にして或いは横方向に折り畳んでおくことが出来、不使用時に邪魔にならないようにしておくことができる。
【００２２】
本発明の第１のものは、上記連結腕部を具体化したものであり、その連結腕部として前後に伸縮する伸縮腕部を採用したものを特定している。
【００２３】
本発明の第１のものは、上記連結腕部を具体化したものであり、その連結腕部として水平方向に屈曲する屈曲腕部を採用したものを特定している。
【００２４】
本発明の第１のものは、上記連結腕部を具体化したものであり、その連結腕部として前後に伸縮する伸縮腕部と水平方向に屈曲する屈曲腕部の両者を採用したものを特定している。
【００２５】
本発明の第１のものにおいては、本発明の構成要素をより具体化し、車椅子や車輪付きスタンドへの固定構造について限定している。
即ち、その本体部を側面視略矩形形状の枠体から構成し、その前方縦枠に少なくとも上下一対の固定手段を設けて車椅子の背面側の縦方向一フレームに固定し、前記伸縮腕部が側面視略菱形のリンク機構を有する枠体から構成された前後に伸縮自在のものからなり、この伸縮腕部の前端を前記本体部の後方縦枠に連結し、この伸縮腕部の後端に上下に延長する枠体からなるスタンド固定部を設け、このスタンド固定部に少なくとも上下一対の連結具を設けて車輪付きスタンドに連結固定できる構成である。
これにより、本発明に係る連結装置を使用するときには、前記伸縮腕部を後方に伸長して車輪付きスタンドに連結固定することにより簡易により確実安定的に前記スタンドを車椅子に連結固定して両手で車椅子を操作・運転することができることとなる。
【００２６】
本発明の第１のものにおいては、前記本体部の前端に設けた上下一対の固定手段をそれぞれ螺子棒によって前記本体部に連結したものであり、これにより上下の螺子棒の締着位置を適宜変更することにより前記本体部の縦枠を略鉛直状態に固定することができることとなる。
これにより、前記本体部の後方縦枠も略鉛直状態となり前記伸縮腕部も後方に向って略水平に伸長することとなるのである。
【００２７】
本発明の第２のものにおいては、前記伸縮腕部の後端に連結する前記スタンド固定部が、その連結部で回動可能に設けられ固定されていることを特徴とするものであり、これにより前記スタンド固定部による車輪付きスタンドの略鉛直方向に延びる支柱部と適切に連結し固定することができることとなる。
或いは、前記支柱部が多少傾いた際にも、その傾きを前記軸着部で吸収することが可能となるのである。
【００２８】
本発明の第３のものにおいては、前記本体部を前記車椅子の背面側の縦方向一フレームに固定位置変更可能に取付固定できるようにしたものであり、車椅子の縦方向一フレームの上下の位置を変更させて容易に取り付けできるようにしたものである。
【００２９】
本発明の第４のものにおいては、上記第１乃至第３の発明において、本体部を上下に延長する１本の枠体又は棒体から形成できることを特定したものである。その効果は上記発明と同じである。
【図面の簡単な説明】
【００３０】
【図１】本発明に係る連結装置の第１実施形態を車椅子に固定し、点滴スタンドを連結し固定した状態を示す説明図である。
【図２】上記第１実施形態に係る連結装置を図１の反対側から見た説明図である。
【図３】上記第１実施形態に係る連結装置の不使用状態を示す説明図である。
【図４】上記第１実施形態に係る連結装置の側面図である。
【図５】本発明に係る連結装置の第２実施形態の側面図である。
【図６】本発明に係る連結装置の第３実施形態の側面図である。
【図７】本発明に係る連結装置の第４実施形態の側面図である。
【図８】本発明に係る連結装置の第５実施形態の側面図である。
【発明を実施するための形態】
【００３１】
以下、添付の図面と共に本発明の一実施形態について説明する。
図１は、本発明に係る連結装置の一実施形態を車椅子に固定し、点滴スタンドを連結し固定した状態を示す説明図である。
図２は、上記実施形態に係る連結装置を図１の反対側から見た説明図である。
【００３２】
これらの図では、本発明に係る連結装置１０は、車椅子Ｋの背面側の縦方向に配設されている左側の一つのフレームＦに固定されている。
この連結装置１０は、側面視略矩形形状の枠体から形成された本体部１１と、この本体部１１の後方の縦枠に連結固定されている伸縮腕部１２と、この伸縮腕部１２の後端に連結固定されているスタンド固定部１３とからなる。材質はすべて金属製である。
【００３３】
上記側面視略矩形形状の本体部１１は、その前方の縦枠の上下に一対の固定手段１４、１４が設けられ、車椅子Ｋの背面側の縦方向の一フレームＦに固定される。
固定手段１４のそれぞれから後方に向って螺子棒１５が延長し、この螺子棒１５、１５が本体部１１の前方の縦枠と連結し固定される。
【００３４】
上記螺子棒１５、１５によって本体部１１を連結固定することができるが、車椅子ＫのフレームＦが鉛直でなく、傾斜しているために、上記螺子棒１５の締着位置を適宜変更して、本体部１１の縦枠を略鉛直状態に固定することができる。
【００３５】
上記本体部１１の後方側の縦枠に上記伸縮腕部１２を連結し固定する。
この伸縮腕部１２は、４本のフレーム部材を側面視略菱形に連結してリンク機構を形成し、前後方向に伸縮自在に構成している。
即ち、不使用時には、前方方向に収縮させて伸縮腕部１２の前後方向長さを最小にして邪魔にならないようにすることができる。
つまり、この連結装置１０は、車椅子Ｋに常時装備させておくことができるのである。
【００３６】
上記伸縮腕部１２の後端には、スタンド固定部１３が設けられている。
このスタンド固定部１３は、１本の上下に長い板状のフレームからなり、その上端と下端にクランプタイプの固定部１６、１６が設けられている。
これらの固定部１６、１６が点滴スタンドＳの支柱部Ｐの上下２箇所に固定されるのである。
【００３７】
このようにして本発明に係る連結装置１０は、車椅子Ｋの一フレームＦに連結固定したまま使用することができ、不使用の際には、伸縮腕部１２を前方に収縮させておき、使用する際には、この伸縮腕部１２を後方に伸長して、点滴スタンドＳの支柱部Ｐにそのスタンド固定部１３の上下一対の固定部１６、１６によって連結し固定することができるのである。
このようにして車椅子Ｋ使用者は、両手で車椅子Ｋを操作して且つ点滴スタンドＳと共に移動することができることとなるのである。
【００３８】
図３は、上記実施形態に係る連結装置の不使用状態を示す説明図である。
この図においては、上記実施形態に係る連結装置１０の伸縮腕部１２が前方（矢印Ｄの方向）に収縮した状態を示しており、この連結装置１０を使用していない時の状態を示すものである。
【００３９】
この図からよく解る通り、伸縮腕部１２は、４本の枠体を軸着し、それぞれの軸着点で回動するようにリンク機構を構成し、側面視略菱形形状を左右に押しつぶした状態を示している。
この伸縮腕部１２の前端は、本体部１１の後方縦枠１１ｕの中央部に固定し、その後端は上下に延長するスタンド固定部１３の中央部に固定されている。
【００４０】
このスタンド固定部１３の上端部と下端部には、固定部１６、１６をそれぞれ設け、この固定部１６は、それぞれワンタッチ式に固定できるバックルタイプのものを利用している。
このバックルタイプの固定部というのは、開口部を有する略筒状のもので、この開口部から内部に点滴スタンドの支柱部を入れて抱持し、その後、輪状部を溝部に引っ掛けて起立部を倒して締付固定できるものである。
【００４１】
また、この図３からよく解る通り、本体部１１の前方側の縦枠１１ｍの上端部及び下端部は、螺子棒１５、１５により連結固定されている。
これらの螺子棒１５、１５は、固定手段１４、１４から延長するものであり、これらの螺子棒１５、１５を前記縦枠１１ｍの螺子挿通孔に挿通してその縦枠１１ｍの両側からナットにより締着し、固定することが出来る。
【００４２】
このナットによる締着に際して、その締着位置を適宜調整することにより、この本体部１１の縦枠１１ｍ、１１ｕを略鉛直状態に固定することができる。
というのも、これら固定手段１４、１４は、車椅子Ｋの背面側の縦方向の一フレームＦに固定され、このフレームＦは、普通タイプのものであれば、斜めに少し傾斜しているため、この傾斜分を考慮して、下側の固定手段１４の螺子棒１５を長めに設定して固定することにより、本体部１１の縦枠１１ｍ、１１ｕを略鉛直状態に固定することができるのである。
【００４３】
ここで使用する固定手段１４は、通常の平面視略コ字形状のもので、その開口部側からフレームＦに嵌合して、螺子により螺着固定できる形式のものを採用しているが、この固定手段も従来からある管体に取り付け固定できるものであれば、どのような形式のものであっても使用することができる。
要は、この固定手段から後方に向って螺子棒が延長するタイプのものであれば、使用可能である。
【００４４】
図４は、上記実施形態に係る連結装置の側面図である。
本発明に係る連結装置１０は、本体部１１と伸縮腕部１２とスタンド固定部１３とからなり、本体部１１の前方側の縦枠１１ｍの上端部と下端部に一対の固定手段１４、１４を設け、この固定手段１４からはそれぞれ後方に向って螺子棒１５が延長し、この一対の螺子棒１５、１５と本体部１１の前方の縦枠１１ｍとがナットにより連結固定されている。
この固定手段１４、１４が車椅子の後方の縦フレームＦに固定される。
【００４５】
本体部１１の後方の縦枠１１ｕの略中央部には、前記伸縮腕部１２の前端が連結固定され、その後端はスタンド固定部１３の略中央部に連結固定されている。
伸縮腕部１２は、４つの枠体を軸着してリンク機構を形成し、前後方向に伸縮することができる。
【００４６】
伸縮腕部１２の後端に固定されているスタンド固定部１３は、その上端部と下端部に一対の固定部１６、１６が設けられ、これら固定部１６、１６が点滴スタンドの支柱部Ｐに連結し固定することができる。
この図４の状態は、伸縮腕部１２が前方に収縮した状態を図示しており、点滴スタンド等の車輪付きスタンドを使用していない状態である。（この図４では、スタンドの支柱部Ｐを敢えて図示して、連結装置１０との関係を示している。）
【００４７】
図５は、本発明に係る連結装置の第２実施形態の側面図である。
この図に示した第２実施形態に係る連結装置２は、上記の第１実施形態と同様に、車椅子の背面側の縦方向に配設されている一本のフレームＦに固定される。
この連結装置２では、その本体部１１が上記第１実施形態と異なり、１本の枠体から形成されている。
【００４８】
この１本の枠体からなる本体部１１をその長手方向を上下に配置して、その前方側で２本の螺子棒１５、１５によって車椅子のフレームＦに固定される。
この本体部１１の後方側には、屈曲腕部２０が連結固定されており、この屈曲腕部２０の後端にはスタンド固定部１３が連結固定されている。
従って、この屈曲腕部２０が連結腕部となる。上記構成部材の材質はすべて金属製である。
【００４９】
上記１本の枠体からなる本体部１１は、その前方側で上下一対の螺子棒１５、１５を介して固定手段１４、１４によって車椅子の背面側の縦方向の一フレームＦに固定される。
換言すると、固定手段１４、１４のそれぞれから後方に向って螺子棒１５、１５がそれぞれ延長し、この螺子棒１５、１５が本体部１１と連結しナット部材によって固定される。
【００５０】
上記螺子棒１５、１５によって本体部１１が連結固定されるのであるが、車椅子のフレームＦが鉛直でなく、傾斜しているために、上記螺子棒１５の締着位置を適宜変更して、本体部１１を略鉛直状態に固定することができる。
また、固定手段１４に関しても、螺子棒１５が略水平状態に延長するような構成を有している。
【００５１】
上記本体部１１の後方側には屈曲腕部２０が連結され、固定される。
この屈曲腕部２０が連結腕部となり、この屈曲腕部２０は、前後方向に２本の腕部から構成され、その前方側の前方腕部２１とその後方側の後方腕部２２とが相互に軸着され、後方腕部２２は、軸着部２３を回動中心として、紙面表面側にその後端部が回動する。
即ち、この後方腕部２２は、略水平面に回動することとなるのである。
【００５２】
上記後方腕部２２の後端には、スタンド固定部１３が固定されており、上記後方腕部２２が図中紙面手前側に回動すると、このスタンド固定部１３は、紙面手前側に移行し、つまり、車椅子の背凭れの側に沿うように回動して、屈曲腕部２０は、その軸着部２３で折れ曲がるのである。
即ち、不使用時には、屈曲腕部２０の後方腕部２２及びスタンド固定部１３を、その後方腕部２２の軸着部２３の部位で折り曲げて、車椅子の背凭れの後ろ側に折り畳むことができ、邪魔にならないようにすることができるのである。
【００５３】
上記のように屈曲腕部２０の後端にスタンド固定部１３が設けられているが、このスタンド固定部１３は、上記第１の実施形態と同様のもので、１本の上下に長い板状のフレームからなり、その上端と下端にクランプタイプの固定部１６、１６が設けられたものである。
これらの固定部１６、１６が点滴スタンドの支柱部Ｐの上下２箇所を固定するのである。
【００５４】
このようにして本発明の第２実施形態に係る連結装置２は、車椅子の一フレームＦに連結固定したまま使用することができ、不使用の際には、屈曲腕部２０を折り曲げて（屈曲させて）おき、使用する際には、この屈曲腕部２０を後方に回動して、後方に伸長し、点滴スタンドＳの支柱部Ｐにそのスタンド固定部１３の上下一対の固定部１６、１６によって連結し固定することができるのである。
【００５５】
尚、この第２実施形態においては、スタンド固定部１３の上端部に取手２４を設けており、この取手２４を手で把持して屈曲腕部２０の後方腕部２２を回動させることができる。
また、屈曲腕部２０の軸着部２３の上端部には、後方腕部２２の回動をロックするためのロック用ノブ２５を設けており、このロック用ノブ２５を回動操作することにより後方腕部２２の回動が停止される構造を採用している。
【００５６】
図６は、本発明に係る連結装置の第３実施形態の側面図である。
この連結装置３は、上記第２実施形態に、伸縮腕部１２を付加したものであり、その他の構成は上記実施形態２と同じである。
即ち、本体部１１とその後方の伸縮腕部１２とその後方の屈曲腕部２０とその後方のスタンド固定部１３とから成る。
【００５７】
換言すると、この第３実施形態においては、連結腕部が上記伸縮腕部１２と屈曲腕部２０とから構成されたものである。
この伸縮腕部１２は、上記第１実施形態において用いられたものであり、４本のフレーム部材を側面視略菱形に連結してリンク機構を形成し、前後方向に伸縮自在に構成している。
即ち、不使用時には、前方方向に収縮させて伸縮腕部１２の前後方向長さを最小にして邪魔にならないようにすることができる。
【００５８】
更に、この第３実施形態においては、上記伸縮腕部１２の後方に屈曲腕部２０が連結固定されているために、当該連結装置３の屈曲腕部２２を車椅子の背凭れの側に折り畳んでおくことができるのである。
【００５９】
図７は、本発明に係る連結装置の第４実施形態の側面図である。
この第４実施形態に係る連結装置４は、基本的構成は、上記第２実施形態のものと同じであるが、スタンド固定部１３の構成が上記第２実施形態と異なる。
その全体構成は、本体部１１とその後方に固定された屈曲腕部２０とその後方に固定されたスタンド固定部１３とから成る。
【００６０】
即ち、１本の枠体からなる本体部１１の後方側に屈曲腕部２０が連結固定され、この屈曲腕部２０の後端部にはスタンド固定部１３が連結固定されているのであるが、このスタンド固定部１３自体の構成が前記の第２実施形態のものと異なっているのである。
【００６１】
このスタンド固定部１３は、図からはその構造については判別し難いが、その左側の側縁部上下にスタンドの支柱部Ｐを固定する固定部１６、１６が設けられている点は、上記実施形態と同じであるが、この固定部１６、１６が中央部に表れているロックレバー３５を左回りに回動させて下向きとすることにより収束して支柱部Ｐを堅固に挟持することができる構成を採用しているのである。
【００６２】
ロックレバー３５を元の位置（図７の位置）に戻すと、支柱部Ｐの挟持が解除され、スタンド固定部１３の上下に位置する横枠３１、３２内に配設されているコイルバネの引き戻し作用によってスタンドの支柱部Ｐの挟持が開放されるのである。
【００６３】
このスタンド固定部１３の左側中央に設けられている取手部３４は、支柱部Ｐを固定部１６、１６に配置する際に利用するものであって、支柱部Ｐに手の親指を引っ掛けて、他の四指を前記取手部３４に引っ掛け、相互に引き寄せることにより、極めて都合良く支柱部Ｐが固定部１６、１６に嵌合されるのである。
その他の構成は、上記第２実施形態のものと同じである。
【００６４】
図８は、本発明に係る連結装置の第５実施形態の側面図である。
この第５実施形態に係る連結装置５は、本体部１１と、その後方の伸縮腕部１２と、その後方の屈曲腕部２０と、その後方のスタンド固定部１３とから成り、上記第４実施形態のものに伸縮腕部１２を付加したものである。
【００６５】
即ち、伸縮腕部１２の前端を本体部１１に連結固定し、伸縮腕部１２の後端に屈曲腕部２０を連結固定したものである。
スタンド固定部１３の構成も上記第４実施形態のものと同じである。その他の構成も上記第４実施形態と同じである。
【００６６】
以上のように、本発明の５つの実施形態について説明したが、本発明においては、その連結装置の連結腕部に一つの特徴がある。
即ち、前後方向に伸縮する伸縮腕部と水平方向に屈曲する屈曲腕部の何れか又はその両方を連結腕部として使用することにより、不使用時に、後方のスタンド固定部の側を車椅子の背面側に引き寄せたり、当該背面側に折り畳む（屈曲する）ようにして邪魔にならないようにし、使用する際には簡単に後方にスタンド固定部を引き出すことができるものである。
【００６７】
以上、本発明の実施形態について説明したが、本発明に係る実施形態においては以下の通り各種設計変更をすることができる。
まず本発明に係る連結装置は、点滴スタンド、酸素ボンベスタンド等々、患者が車椅子に腰かけた状態で各種の薬剤投与や、医療機器の保持のための車輪付きのスタンドを車椅子に連結し固定することのできる連結装置である。
【００６８】
上記本体部は、上記第１実施形態においては、側面視略矩形形状の枠体から形成したが、その形状、サイズ及び構成は種々設計変更することができる。
即ち、この本体部は上記実施形態では、四角形の枠体から形成しているが、極端には単なる上下に延長する板状体又は枠体からなるものであってもよく、その上下端部分に固定手段が設けられているものであればよい。
この例として上記第２実施形態乃至第５実施形態を例示したものである。
また、この本体部は、車椅子の背面側の縦方向フレームでなく、横方向フレームに取り付け固定することも可能である。
【００６９】
上記第１実施形態では、伸縮腕部の強度を考慮して、本体部としてある程度横幅のあるもの、即ち、前後方向に幅のあるものを利用することにより伸縮腕部の強度を保持させているのである。
伸縮腕部の強度等が保持できるのであれば、本体部の前後方向長さは短いものとして実施することができることとなる。その例が実施形態２乃至５である。
【００７０】
伸縮腕部を構成する枠体の長さ等も適宜必要に応じで変更することができる。
上記実施形態では固定されているが、伸縮腕部の後端部とスタンド固定部との連結を回動自在に軸着し、固定することができるように形成することもできる。
このように軸着により回動自在に連結し固定できれば、本体部の縦枠が傾斜状態であっても、このスタンド固定部を略鉛直状態とすることができることとなる。
【００７１】
スタンド固定部の上下端部に設けた固定部も上記実施形態のようなワンタッチのバックルタイプでなくともよく、車輪付きスタンドの支柱部を抱持できる形態のものを利用して螺子により螺着できるタイプのものであってもよい。
【００７２】
上記第２乃至第５実施形態においては、連結腕部として、水平方向に屈曲する屈曲腕部を採用しているが、上記伸縮腕部と共に構成することもでき、その例が第３及び第５実施形態である。
屈曲腕部の前方腕部及び後方腕部の長さはそれぞれ必要に応じて設計することができる。
両者の軸着部にロック手段を設けるのも自由である。
更には、リンク機構を採用した伸縮腕部に関しても、その上端軸着部にロック手段を付加するのも自由である。
【００７３】
以上、本発明は、車椅子の背面側に連結固定することができ、車輪付きスタンドの不使用時には前方に収縮又は屈曲（折曲）して小さくしておくことができ、車輪付きスタンドを使用する時には後方に伸縮腕部や屈曲腕部を伸長して前記点滴スタンド等を容易に連結し固定できる連結装置を提供することができたものである。
【符号の説明】
【００７４】
２、３、４、５、１０  連結装置
１１  本体部
１１ｍ、１１ｕ  縦枠（本体部）
１２  伸縮腕部
１３  スタンド固定部
１４  固定手段
１５  螺子棒
１６  固定部
２０  屈曲腕部
２１  前方腕部
２２  後方腕部
２３  回動軸部
２５  ロック用ノブ
３１、３２  横枠
３４  取手
３５  ロックレバー
Ｋ  車椅子
Ｓ  点滴スタンド
Ｐ  支柱部
【図１】
0006532431.tif 000002
【図２】
0006532431.tif 000003
【図３】
0006532431.tif 000004
【図４】
0006532431.tif 000005
【図５】
0006532431.tif 000006
【図６】
0006532431.tif 000007
【図７】
0006532431.tif 000008
【図８】
0006532431.tif 000009